(57)【要約】      （修正有）【課題】携帯端末に商品或いはサービスの広告情報を送信する場合、ユーザーが広告を受けるか否かを選択することができるようにする。【解決手段】携帯端末に記録媒体を装着することで、記録媒体に書き込まれたある一定のファイル（ＰＤＦ形式２Ｍバイト未満）において広告主の販売サイト等への誘導を可能なものとした。これは、ユーザーが広告情報の提供を受けるか否かを決めることができるものである。また、ファイルはインターネット上よりの上書きも可能なものである。【選択図】図１
2009252225.tif 000002
【特許請求の範囲】
【請求項１】
携帯端末に記録媒体を装着することで、広告主の販売サイト等へユーザーの誘導を可能とする広告方法。
【請求項２】
記録媒体に２Ｍバイト未満のＰＤＦ形式で書き込まれたファイルを特徴とする請求項１の広告方法。
【請求項３】
ユーザーに広告を受けるか否かの選択権のある請求項１の広告方法。
【請求項４】
インターネット上より上書きも可能なファイルを特徴とする請求項１の広告方法。
【発明の詳細な説明】
【発明の詳細な説明】
【技術分野】
【０００１】本発明は携帯端末に装着された記録媒体を用いた広告方法に関する。
【背景技術】
【０００２】近年、携帯端末の普及は目覚しく、それに対して広告をメールを用い手配信する技術が主流である。それはメールアドレスを配信者に登録することで、広告情報が送られてくるシステムである。また、この場合、メールアドレスが未登録の配信者にも収集され、不要な広告情報までが配信されることがあった。
【発明の開示】
【発明が解決しようとする課題】
【０００３】ユーザーが必要とする広告情報は的確に獲得する為には、必要とするサイト等を検索する必要があった。その為、ユーザーが必要とする広告情報を見つけ出すには多大な労力を要した。また、ユーザーが個人情報を登録することで、他の配信者にメールアドレス等が不正に流出する恐れがあった。本発明は以上のような点に着目した広告方法の提供を目的とする。
【課題を解決するための手段】
【０００４】上記の課題を解決するため、本発明は請求項に記載した２Ｍバイト未満のＰＤＦ形式で書き込まれたファイルを有する記録媒体を携帯端末に装着することで、インターネットを介して広告主の販売サイト等にユ−ザ−を誘導することを可能とした。
【発明の効果】
【０００５】携帯端末ユーザーにおいて、ネット広告とは従来、広告主から送信されるものであり受身のもであった。しかし、本発明においては携帯端末に記録媒体を装着しＰＤＦファイルにアクセスしない限り、広告主の販売サイト等に誘導されることはなく、広告主からのインターネットを介しての情報の上書きも受けることがないものである。これはネット広告において、携帯端末ユーザーに広告を受けるか否かを選択することを与える効果を生み出すものである。
【発明を実施するための最良の形態】、
【実施例】
【０００６】ＰＤＦファイルに変換可能な携帯端末を用いた場合の素材ファイルの作成事例を説明する。
・制作手順
（１）素材ファイル作成事例
▲１▼「ＰｏｗｅｒＰｏｉｎｔ」（登録商標第３１８２４３３号以下同様）を起動する．
※ＰＤＦファイルに変換できるソフトも使用可能
▲２▼広告記事ファイルを作成する。
ｉ．説明文書を記載する。
ａ．ツールバーの〈挿入〉から〈テキストボックス〉を選択する。
ｂ．テキストを入力する。
ｉｉ．説明文書部分に誘導するサイトの該当ＵＲＬを埋め込む。
ａ．該当箇所を選択し、ツールバーの〈挿入〉から〈ハイパーリンク〉を選択する。
ｂ．〈アドレス〉に、該当ＵＲＬを入力し、〈ＯＫ〉を選択する。
ｉｉｉ．商品イメージ図を記載する
ａ．ツールバーの〈挿入〉から〈図〉、〈ファイルから〉を順に選択する
ｂ．該当のファイルを選択し、〈挿入〉を選択する
ｉｖ．商品イメージ図部分に誘導するサイトの該当ＵＲＬを埋め込む
ａ．該当イメージを選択し、ツールバーの〈挿入〉から〈ハイパーリンク〉を選択する
ｂ．〈アドレス〉に、該当ＵＲＬを入力し、〈ＯＫ〉を選択する
ｖ．コンタクト用のメールアドレスを記載する
ａ．ツールバーの〈挿入〉から〈テキストボックス〉を選択する
ｂ．該当メールアドレスまたは、説明文を入力する
ｖｉ．コンタクト用のメールアドレス部分に該当メールアドレスを埋め込む。
ａ．該当箇所を選択し、ツールバーの〈挿入〉から〈ハイパーリンク〉を選択する。
ｂ．〈電子メールアドレス〉を選択し、〈電子メールアドレス〉に該当メールアドレスを入力し、〈ＯＫ〉を選択する。
▲３▼作成した広告記事ファイルを保存する。
ａ．ツールバーの〈ファイル〉から〈名前を付けて保存〉を選択する。
ｂ．〈ファイル名〉に任意のファイル名を入力し、〈保存〉を選択する。
（２）ＰＤＦファイルに変換する。
※「ＰｏｗｅｒＰｏｉｎｔ」は起動したままである。
▲１▼ツールバーの〈Ａｄｏｂｅ  ＰＤＦ〉より〈変換設定の変更〉を選択する。
▲２▼〈ＰＤＦ設定〉にて〈最小ファイルサイズ〉を選択する。
▲３▼〈詳細設定〉を選択し、〈互換性のある形式〉が〈Ａｃｒｏｂａｔ５．０（ＰＤＦ１．４）〉となっている事の確認し、〈キャンセル〉を選択する。
▲４▼〈変換設定の変更〉画面に戻り、〈ＯＫ〉を選択する
※Ａｄｂｅ  Ａｃｒｏｂａｔ  Ｐｒｏｆｅｓｓｉｏｎａｌ（アドビ  システムズ  インコーポレイテッド製）等ＰＤＦ作成ソフトが自動起動する。
▲５▼ツールバーの〈Ａｄｏｂｅ  ＰＤＦ〉より〈Ａｄｏｂｅ  ＰＤＦへの変換〉を選択する
▲６▼〈Ａｄｏｂｅ  ＰＤＦファイルに名前を付けて保存〉画面にて、〈保存する場所〉・〈ファイル名〉を任意で入力し、〈保存〉を選択する。
（３）ＰＤＦファイルにしおりを追加する。
※Ａｄｂｅ  Ａｃｒｏｂａｔ  Ｐｒｏｆｅｓｓｉｏｎａｌ（アドビ  システムズ  インコーポレイテッド製）等ＰＤＦ作成ソフトは起動したままである。
▲１▼該当ページを選択し、ツールバーの「編集」より「しおりの追加」を選択する
▲２▼しおり名を入力する。
※適宜▲１▼、▲２▼を繰り返し、しおりを追加する。
（４）ＰＤＦファイルを保存する。
▲１▼ツールバーの〈ファイル〉から〈上書き保存〉を選択する。
（５）携帯端末専用ＰＤＦファイルに変換する。
▲１▼（４）で保存したＰＤＦファイルを携帯端末専用のファイル名に変更する。
※ＰＵＤ００１（ＰＵＤは規定値、００１は連番）
▲２▼携帯端末専用ＰＤＦ変換ソフトＰＤＦＴｏｏｌ  ｆｏｒ  ｉ−ｍｏｄｅを起動し、▲１▼のファイルを開く。
▲３▼〈メディアプロパティ〉にて〈ＰＤＦプロパティ〉を設定し、〈ＯＫ〉を選択する。
▲４▼ツールバーの〈ファイル〉より〈ファイルを保存〉を選択する。
▲５▼〈ＰＤＦファイル〉と〈ＤＤＦファイル〉のチェックボックスをチェックし〈保存〉を選択する。
以上の操作で素材ファイルを作成した。
このＰＤＦファイルを記録媒体、たとえばＳＤカード内に保存用フォルダを作成し、ＰＵＤ００１フォルダにＰＤＦファイルを保存した。
このＳＤカードを広告として配布することで、広告主はユーザーを広告主の販売サイト等に誘導することが出来た。
【図面の簡単な説明】
【０００７】
【図１】配布ファイルの作成手順  図１は配布用ファイルの作成手順を示したものである。素材ファイルを（ｘｉｓ形式、ｐｐｔ形式、ｄｏｃ形式等）ＰＤＦファイルに変換する手順を図解したものである。
【図２】ＳＤカードにＰＤＦファイルを保存する手順  図２はＳＤカードにＰＤＦファイルを保存する手順である。ＳＤカード内に保存用フォルダを作成し、ＰＤＦファイルを保存する手順を図解したものである。
【図１】
2009252225.tif 000003
【図２】
2009252225.tif 000004